(57)【要約】【課題】本発明の目的は、より確実且つ容易に閉状態に保持することができるメモ帳を提供することにある。【解決手段】上記課題を解決するために、本発明に係るメモ帳は、被筆記部と、被筆記部の表裏に、開閉可能に設けられた表紙部と、表紙部の開閉可能な先端縁部に形成されたストッパと、表紙部の先端縁部を挟む切り欠きが設けられた締め具とを備え、締め具は、切り欠きを介して、ストッパを内包しながら、表紙部の先端縁部にスライドして取り付けられる。【選択図】図２
2015093485.tif 000002
【特許請求の範囲】
【請求項１】
被筆記部と、
前記被筆記部の表裏に、開閉可能に設けられた表紙部と、
前記表紙部の開閉可能な先端縁部に形成されたストッパと、
前記表紙部の前記先端縁部を挟む切り欠きが設けられた締め具とを備え、
前記締め具は、切り欠きを介して、前記ストッパを内包しながら、前記表紙部の前記先端縁部にスライドして取り付けられる、メモ帳。
【請求項２】
前記締め具は、筆記具を備えることを特徴とする請求項１に記載のメモ帳。
【請求項３】
前記締め具の先端に、前記締め具の長さ寸法が前記切り欠きに向かうにしたがって漸次短くなるテーパーが形成されていることを特徴とする請求項１又は請求項２に記載のメモ帳。
【請求項４】
前記筆記具は前記テーパーの最先端から突出して設けられていることを特徴とする請求項２に従属する請求項３に記載のメモ帳。
【請求項５】
前記先端縁部が、前記被筆記部から幅方向に突出していることを特徴とする請求項１から請求項４のいずれか一項に記載のメモ帳。
【請求項６】
前記締め具の基端にスライド停止部が設けられていることを特徴とする請求項１から請求項５のいずれか一項に記載のメモ帳。
【請求項７】
前記締め具は長尺状に形成されて、前記切り欠きは、前記締め具の長さ方向に延び、前記切り欠きが形成された側の反対側に、前記筆記具が取り付けられていることを特徴とする請求項２又は請求項２に従属する請求項３から請求項６のいずれか一項に記載のメモ帳。
【請求項８】
前記締め具は中空状に形成されて、前記筆記具は前記切り欠きに対向する内壁に取り付けられていることを特徴とする請求項２又は請求項２に従属する請求項３から請求項７のいずれか一項に記載のメモ帳。
【請求項９】
前記ストッパは、前記先端縁部に沿って連続した直線状に形成されていることを特徴とする請求項１から請求項８のいずれか一項に記載のメモ帳。
【請求項１０】
前記切り欠きをスライドさせるスライド溝が、前記ストッパに沿って前記表紙部に形成されていることを特徴とする請求項１から請求項９のいずれか一項に記載のメモ帳。
【発明の詳細な説明】
【技術分野】
【０００１】
本発明は、メモ帳に関し、特に、閉じた状態に保持できるメモ帳に関する。
【背景技術】
【０００２】
従来、メモ帳が意図せずに開いてしまうことを防止するために、メモ帳を閉じておくためのベルトやバンドが知られている（例えば、特許文献１及び特許文献２）。例えば、ベルトとして、裏表紙から表表紙に亘って掛けられる細帯状ベルトがある。この細帯状ベルトによれば、裏表紙と一体的に形成された細帯状ベルトの先端を表表紙に形成された切込溝に差し込むことによって、ノートが閉じられるようになっている。また、他の例として、伸縮自在な環状シート材によって形成され、開閉するノートの端部に取り付けられる開き防止バンドも知られている。
【先行技術文献】
【特許文献】
【０００３】
【特許文献１】特開平１１−７８２８６号公報
【特許文献２】特開２０１１−１６２３８号公報
【発明の概要】
【発明が解決しようとする課題】
【０００４】
しかしながら、前述の細帯状ベルトでは、細帯状ベルトの先端を表表紙に形成された切込溝に差し込むだけであるため、ベルトの締め付け力に問題がある。例えば、ノートの厚さが厚い場合、ベルトの先端が切込溝から外れやすくなることが考えられる。また、前述の開き防止バンドは、使用時に、伸縮自在な環状シート材に力を加えて伸ばしてから、手帳やノートの先端に取り付ける必要がある。したがって、使用時にバンドを伸ばすための余分な力を要し、また、バンドの伸縮力に起因してスムーズな取り付けが妨げられる可能性もある。
【０００５】
本発明は、このような問題を解決するためになされたものであり、より確実且つ容易に閉状態に保持することができるメモ帳を提供することを目的とする。
【課題を解決するための手段】
【０００６】
上記課題を解決するために、本発明は以下の手段を提供する。本発明に係るメモ帳は、被筆記部と、被筆記部の表裏に、開閉可能に設けられた表紙部と、表紙部の開閉可能な先端縁部に形成されたストッパと、表紙部の先端縁部を挟む切り欠きが設けられた締め具とを備え、締め具は、切り欠きを介して、ストッパを内包しながら、表紙部の先端縁部にスライドして取り付けられる。
【０００７】
「メモ帳」とは、メモを筆記できるものをいう。「メモ帳」は、そのサイズが限定されない。「メモ帳」には、例えば、ノート、手帳と呼称されるものも含まれる。「被筆記部」とは、筆記される部分をいう。「被筆記部」は一例として、複数枚の紙によって構成されている。また、他の例として、「被筆記部」には、メモを電子的に記録する電子ペーパー等の記録部材も含まれる。
【０００８】
本発明に係るメモ帳は、締め具を備えることから、締め具によって表紙部の開閉可能な先端縁部を閉じ、メモ帳を閉状態に保持することができる。この際、締め具は、切り欠きを介して表紙部の先端縁部にスライドして取り付けられることから、締め具の取り付けを容易に行うことができる。また、締め具は、ストッパを内包しながら、スライドして取り付けられるため、締め具が外れてしまうことをストッパによって防止することができる。よって、本発明によれば、より確実且つ容易にメモ帳を閉状態に保持することができる。
【０００９】
例えば、締め具は筆記具を備える。これにより、筆記具を別途用意することなく、メモをとることができる。
【００１０】
一例として、締め具の先端に、締め具の長さ寸法が切り欠きに向かうにしたがって漸次短くなるテーパーが形成されている。これにより、締め具を表紙部の先端縁部に取り付ける際に、先端から切り欠きに向かって案内されるため、より容易に締め具をスライドさせることができる。
【００１１】
筆記具はテーパーの最先端から突出して設けられていてもよい。これにより、筆記時に、締め具の先端が被筆記部に接触する可能性が低減するだけでなく、視認性が向上し、筆記しやすくなる。
【００１２】
先端縁部が、被筆記部から幅方向に突出していてもよい。これにより、被筆記部の厚さが厚い場合であっても、表紙部の先端縁部を薄い状態で閉じることができる。したがって、被筆記部の厚さが厚い場合であっても、切り欠きの開口寸法を小さくしたまま、メモ帳をより確実且つ容易に閉状態に保持することができる。
【００１３】
締め具の基端にスライド停止部を設けてもよい。これにより、締め具をスライドさせ過ぎて、表紙部の先端部から外してしまうことを防止することができる。また、締め具を停止させる位置を操作者が調節する手間が不要になる。
【００１４】
一例として、締め具は長尺状に形成されて、切り欠きは、締め具の長さ方向に延び、切り欠きが形成された側の反対側に、筆記具が取り付けられている。これにより、筆記具が締め具のスライド移動を妨げることを抑止することができる。
【００１５】
締め具は中空状に形成されて、筆記具は切り欠きに対向する内壁に取り付けられているように構成してもよい。これにより、切り欠きと、これに対向する内壁との間に所定の空間が確保されるため、締め具をスライド移動させる際に、表紙部の先端縁部を切り欠きに挿入させやすくなる。また、切り欠きと筆記具との間にも所定の空間が確保されるため、メモ帳を閉状態に保持したときに、筆記具によって表紙部の先端縁部が圧迫されたり、筆記具と表紙部の先端縁部が擦れて表紙部の先端縁部が磨滅したりする等のリスクを低減することができる。
【００１６】
一例として、ストッパは、先端縁部に沿って連続した直線状に形成されている。これにより、締め具をストッパに沿ってスライドさせることができるため、締め具のスライドが容易になると共に、表紙部先端縁部に締め具をより安定的に保持することができる。
【００１７】
切り欠きをスライドさせるスライド溝が、ストッパに沿って表紙部に形成されていてもよい。これにより、締め具をより容易にスライドさせることができる。
【発明の効果】
【００１８】
本発明に係るメモ帳は、締め具を備えることから、締め具によって表紙部の開閉可能な先端縁部を閉じ、メモ帳を閉状態に保持することができる。この際、締め具は、切り欠きを介して表紙部の先端縁部にスライドして取り付けられることから、締め具の取り付けを容易に行うことができる。また、締め具は、ストッパを内包しながら、スライドして取り付けられるため、締め具が外れてしまうことをストッパによって防止することができる。よって、本発明によれば、より確実且つ容易にメモ帳を閉状態に保持することができる。
【図面の簡単な説明】
【００１９】
【図１】第１の実施形態に係るメモ帳の開状態を示す斜視図である。
【図２】第１の実施形態に係るメモ帳の閉状態を示す斜視図である。
【図３】図２に示すメモ帳の正面図である。
【図４】（ａ）図２に示すメモ帳の平面図である。（ｂ）図２に示すメモ帳の底面図である。
【図５】（ａ）図２に示すメモ帳の左側面である。（ｂ）図２に示すメモ帳の右側面である。
【図６】（ａ）図３のＡ−Ａ´線断面図である。（ｂ）図６（ａ）のＢ−Ｂ´線部分拡大図である。
【図７】図２に示す締め具の左側面図である。
【図８】（ａ）第２の実施形態に係るメモ帳の正面図である。（ｂ）図８（ａ）に図示した締め具と表紙部の先端部の拡大平面図である。
【発明を実施するための形態】
【００２０】
［第１の実施形態］
以下、本発明の実施の形態を添付の図により説明する。なお、「上」、「下」、「左」、「右」、「表」、「裏」、「外」、「内」等の語は図面の状態に基づく便宜上のものであり、実際の方向はこれに限定されるものではない。
図１及び図２に第１の実施形態に係るメモ帳１の斜視図を示す。
メモ帳１は、矩形のメモ帳本体部２と、長尺状の締め具３とを備える。
メモ帳本体部２は、開閉可能に設けられた表紙部５と、表紙部５の内側に保持される被筆記部６とを備える。表紙部５は、被筆記部６の表面を外装する表表紙５ａと、被筆記部６の裏面を外装する裏表紙５ｂと、被筆記部６の背面を外装する背表紙５ｃとから構成されている。
【００２１】
本実施形態において、被筆記部６は、複数枚のメモ用紙の束である。メモ帳本体部２は、幅方向Ｘの一端が閉じられている。その一端において高さ方向に延びる回転軸線を中心として他端が回転可能に構成されている。すなわち、メモ帳本体部２は、表表紙５ａと裏表紙５ｂの先端部７を回転方向Ａに回転移動させることによって、開閉することができる。メモ帳本体部２は、表表紙５ａと裏表紙５ｂの先端部７を互いに近づけることによって、閉状態となり、表表紙５ａと裏表紙５ｂの先端部７を互いに遠ざけることによって開状態となる。図１に図示したメモ帳１は、開状態にあり、図２に図示したメモ帳１は閉状態にある。
【００２２】
締め具３は、メモ帳本体部２に対して着脱可能であり、締め具本体部９と筆記具１０を備えている。図２に示すように、締め具３は、メモ帳１を閉状態に保持するために、表表紙５ａと裏表紙５ｂの先端部７を挟み込むように取り付けられる。なお、締め具３は、図１に示すように、紐等の連結部材１１によって、メモ帳本体部２と連結していてもよいし、紐等の連結部材１１を用いずに、メモ帳本体部２とは分離した部品として構成してもよい。
【００２３】
図２は、一例として、締め具３とメモ帳本体部２を紐等の連結部材１１によって連結していない構成について図示している。図２に図示した状態のメモ帳１について、その正面図を図３に、平面図を図４（ａ）に、底面図を図４（ｂ）に、左側面図を図５（ａ）に、右側面図を図５（ｂ）に示す。なお、背面図は、正面図と対称に表れる。
【００２４】
図１から図５に示すように、表表紙５ａと裏表紙５ｂの先端縁部１２（開閉可能な端部の縁）には、それぞれ、ストッパ１４が設けられている。本実施形態において、ストッパ１４は、表表紙５ａの先端縁部１２と、裏表紙５ｂの先端縁部１２の高さ方向に延ばされて、長さ方向Ｙに連続した直線状に形成されている。ストッパ１４が形成された表表紙５ａと裏表紙５ｂの先端縁部１２は、図１，図２及び図４（ａ）に示すように、被筆記部６の先端縁部６ａよりも、幅方向Ｘに突出している。
【００２５】
図３のＡ−Ａ´線断面図を図６（ａ）に、図６（ａ）のＢ−Ｂ´線部分拡大図を図６（ｂ）に示す。図６（ｂ）に示すように、ストッパ１４は、表表紙５ａの外側表面１６ａと、裏表紙５ｂの外側表面１６ｂとから、それぞれ、外側に突出している。なお、本実形態において、ストッパ１４の断面形状は略矩形であるが、これに限定されず、例えば、半円型であってもよいし、三角形であってもよいし、波型であってもよい。図６（ｂ）に示すように、締め具３と表紙部５の先端部７の断面形状は、幅方向Ｘに延びる中心線Ｃに対して対称に表れる。
【００２６】
表紙部５に取り付けていない状態における締め具３の左側面図を図７に示す。図７に示すように、締め具本体部９は、長尺状に形成され、締め具本体部９の側面には、長さ方向Ｙに直線状に延びる切り欠き１５が形成されている。図６（ｂ）に示すように、切り欠き１５の長さ方向端部１７ａ，１７ｂは、締め具３を表紙部５の先端部７に取り付けたときに、表表紙５ａの外側表面１６ａと、裏表紙５ｂの外側表面１６ｂとにそれぞれ接するように、形成されている。締め具本体部９は、その内側に所定の空間１３を有する中空の円筒状に形成されていて、締め具３を表紙部５の先端部７に取り付けたときに、ストッパ１４は、締め具３の内側の空間１３に内包される。ストッパ１４の長さ方向Ｙに延びる内側壁１４ａ，１４ｂは、締め具３の切り欠き１５の内側において、締め具本体部９の内壁９ａと接することになる。
【００２７】
本実施形態において、切り欠き１５の長さ方向端部１７ａ，１７ｂにおける切断面１７ｃは、図６（ｂ）に示す中心線Ｃ上に位置する締め具本体部９の中心点Ｏに向かう仮想直線（不図示）に沿って形成されている。
【００２８】
図３及び図７に示すように、締め具３の先端にはテーパー１８が形成されている。テーパー１８は、締め具本体部９の外側先端縁（テーパー１８の最先端）１９よりも、内側先端縁２０（切り欠き１５の先端）の方が低くなるように、傾斜して形成されている。すなわち、テーパー１８は、締め具３の長さ寸法が切り欠き１５に向かうにしたがって漸次短くなるように形成されている。
【００２９】
締め具３の基端９ｂには、スライド停止部２１が設けられている。図７に示すように、切り欠き１５は締め具本体部９を長さ方向Ｙに貫通するものではなく、切り欠き１５の基端１５ａは、締め具本体部９の基端９ｂよりも先端側に近い位置にある。したがって、切り欠き１５の基端１５ａと締め具本体部９の基端９ｂとの間に位置する締め具本体部９の側壁によって、スライド停止部２１が形成されている。スライド停止部２１は、切り欠き１５を表紙部５の先端部７にスライドさせたときに、表紙部５の幅方向端部２２が係止するように構成されている。
【００３０】
筆記具１０は、切り欠き１５と中心点Ｏを挟んで対向する本体部内壁９ａに取り付けられている。すなわち、筆記具１０は、切り欠き１５に対して中心点Ｏを挟んだ反対側の本体部内壁９ａに取り付けられている。筆記具１０の先端１０ａは、テーパー１８の最先端１９から突出している。本実施形態において、筆記具１０は、長尺状に形成されていて、その内部１０ｂにインクが充填されている。筆記具１０の先端からはインクがでるように構成されている。本実施形態においては、締め具３を取り付けたときに、筆記具１０の先端１０ａが表紙部５の長さ寸法内に位置するように、筆記具１０を含めた締め具３の長さを決定している。
【００３１】
次に、本発明の作用について説明する。
図１に示すように、メモ帳１が開いている状態のときには、締め具３に設けられた筆記具１０によって、被筆記部６に所望のメモ等を筆記することができる。メモ帳１を閉じておきたいときには、表表紙５ａと裏表紙５ｂの端部を互いに近づけて、メモ帳１を閉じる。次いで、メモ帳１を閉じた状態で、締め具３を表紙部５端部にスライドさせる。このとき、表紙部５に設けたストッパ１４が締め具３の切り欠き１５の内側にくるように、テーパー１８が形成された方の端部から、締め具３を表紙部５の先端縁部１２に沿って長さ方向Ｙにスライドさせる。そうすると、切り欠き１５の長さ方向端部１７ａ，１７ｂ（図６（ｂ））が、表紙部５の外側表面１６ａ，１６ｂをスライドし、表紙部５と締め具３が相対移動する。表紙部５と締め具３との相対移動は、スライド停止部２１と表紙部５の幅方向端部２２（図３）がぶつかることによって停止する。
【００３２】
図６（ｂ）に示すように、締め具３を取り付けた状態において、切り欠き１５の長さ方向端部１７ａ，１７ｂは、それぞれ、表表紙５ａの外側表面１６ａ及び裏表紙５ｂの外側表面１６ｂと接触して、表表紙５ａ及び裏表紙５ｂが外側へ開こうとする力を押しとどめている。また、切り欠き１５の内側に位置するストッパ１４の内側壁１４ａ，１４ｂが、本体部内壁９ａと接することによって、切り欠き１５が表紙部５の先端部７から外側へ外れてしまうことを阻止している。
【００３３】
なお、本実施形態においては、図６（ｂ）に示すように、表表紙５ａと裏表紙５ｂの内側先端部２３は互いに接触した状態で保持されているが、これに限定されない。表表紙５ａと裏表紙５ｂの間に隙間がある状態で保持されていてもよい。平面方向からみた表表紙５ａと裏表紙５ｂの間の距離は、被筆記部６の厚さに応じて、離れている。本実施形態においては、平面方向からみた表表紙５ａと裏表紙５ｂの先端部７は、先端縁部１２に近づくにつれて、互いに接近するように傾斜している。したがって、図６（ａ）に示すように、表紙部５の先端部７の断面輪郭形状は、一例として、略三角形に表れる。
【００３４】
以上に説明したように、本実施形態に係るメモ帳１によれば、締め具３を備えることから、締め具３によって表紙部５の開閉可能な先端縁部１２を閉じ、メモ帳１を閉状態に保持することができる。この際、締め具３は、切り欠き１５を介して、表紙部５の先端縁部１２にスライドして取り付けられることから、締め具３の取り付けを容易に行うことができる。また、締め具３は、ストッパ１４を内包しながら、スライドして取り付けられるため、締め具３が外れてしまうことをストッパ１４によって防止することができる。よって、本実施形態によれば、より確実且つ容易にメモ帳１を閉状態に保持することができる。
【００３５】
また、締め具３は、筆記具１０を備えている。これにより、筆記具１０を別途用意することなく、メモをとることができる。また、前述のように、メモ帳１においては、締め具３の先端に、締め具３の長さ寸法が切り欠き１５に向かうにしたがって漸次短くなるテーパー１８が形成されている。これにより、締め具３を表紙部５の先端縁部１２に取り付ける際に、先端から切り欠き１５に向かって案内されるため、より容易に締め具３をスライドさせることができる。
【００３６】
筆記具１０はテーパー１８の最先端１９から突出して設けられている。これにより、筆記時に、締め具３の先端が被筆記部６に接触する可能性が低減するだけでなく、視認性が向上し、筆記具１０による筆記が行いやすくなる。
【００３７】
また、表紙部５のストッパ１４が形成された先端縁部１２が、被筆記部６から幅方向Ｘに突出している。これにより、被筆記部６の厚さが厚い場合であっても、表紙部５の先端縁部１２を薄い状態で閉じることができる。したがって、被筆記部６の厚さが厚い場合であっても、切り欠き１５の開口寸法を小さくしたまま、メモ帳１をより確実且つ容易に閉状態に保持することができる。
【００３８】
締め具３の基端９ｂにはスライド停止部２１が設けられている。これにより、締め具３をスライドさせ過ぎて、表紙部５の先端部７から外してしまうことを防止することができる。また、締め具３を停止させる位置を操作者が調節する手間が不要になる。
【００３９】
締め具３は長尺状に形成されて、切り欠き１５は、締め具３の長さ方向Ｙに延び、締め具３の切り欠き１５が形成された側の反対側に、筆記具１０が取り付けられている。これにより、筆記具１０が締め具３のスライド移動を妨げることを抑止することができる。
【００４０】
また、締め具３は中空状に形成されて、筆記具１０は切り欠き１５に対向する内壁に取り付けられているように構成されている。これにより、切り欠き１５と、これに対向する内壁との間に所定の空間が確保されるため、締め具３をスライド移動させる際に、表紙部５の先端縁部１２を切り欠き１５に挿入させやすくなる。また、切り欠き１５と筆記具１０との間にも所定の空間が確保されるため、メモ帳１を閉状態に保持したときに、筆記具１０によって表紙部５の先端縁部１２が圧迫されたり、筆記具１０と表紙部５の先端縁部１２が擦れて表紙部５の先端縁部１２が磨滅したりする等のリスクを低減することができる。
【００４１】
ストッパ１４は、表紙部５の先端縁部１２に沿って連続した直線状に形成されている。これにより、締め具３をストッパ１４に沿ってスライドさせることができるため、締め具３のスライドが容易になると共に、表紙部５の先端縁部１２に締め具３をより安定的に保持することができる。
【００４２】
また、切り欠き１５の長さ方向端部１７ａ，１７ｂにおける切断面１７ｃは、図６（ｂ）に示す中心線Ｃ上に位置する締め具本体部９の中心点Ｏに向かう仮想直線（不図示）に沿って形成されている。したがって、図６（ａ）に示すように、平面方向からみた表表紙５ａと裏表紙５ｂの先端部７が、先端縁部１２に近づくにつれて、互いに接近するように傾斜している場合であっても、長さ方向端部１７ａ，１７ｂと表紙部５の外側表面１６ａ，１６ｂとが接する面積を大きくすることができる。よって、締め具３をより安定的した状態で表紙部５の先端縁部１２に取り付けることができる。
【００４３】
締め具３は円筒形状であるため、持ちやすい。締め具３に備えられた筆記具１０を使用する際には、円筒状の締め具３を握って筆記することができるため、より快適に筆記することができる。
【００４４】
［第２の実施形態］
図８に第２の実施形態に係るメモ帳１００を示す。図８（ａ）には、締め具１０３を表紙部１０５の先端部１０７に取り付けた状態におけるメモ帳１００の正面図を示し、図８（ｂ）には、図８（ａ）に図示した締め具１０３と表紙部先端部１０７の拡大平面図を示す。第２の実施形態に係るメモ帳１００は、第１の実施形態と同様に、メモ帳本体部１０２と、締め具１０３とを備える、メモ帳本体部１０２は、開閉可能に設けられた表紙部１０５と、表紙部１０５の内側に保持される被筆記部１０６とを備える。第２の実施形態では、表紙部１０５を構成する表表紙１０５ａに４個の切り込み部１２０が形成されている。切り込み部１２０は、表表紙１０５ａの４隅のそれぞれに設けられ、名刺のサイズに対応した位置に配置されている。
【００４５】
また、第１の実施形態と同様に、表紙部１０５の先端部１０７は、被筆記部１０６の先端縁部１０６ａよりも、幅方向Ｘに突出し、表表紙１０５ａと裏表紙１０５ｂの先端縁部１１２には、それぞれ、長さ方向Ｙに延びるストッパ１１４が設けられている。これに加えて、第２の実施形態では、ストッパ１１４の内側（表紙部１０５の基端部１２７により近い側）に、ストッパ１１４に沿って長さ方向Ｙに延びる直線状のスライド溝１１６が形成されている。
【００４６】
図８（ｂ）に示すように、表表紙１０５ａに形成されたスライド溝１１６の底面１１６ａは、平面方向からみて、表表紙１０５ａの外側表面１２４ａより内側に位置し、裏表紙１０５ｂに形成されたスライド溝１１６の底面１１６ｂは、裏表紙１０５ｂの外側表面１２４ｂより内側に位置している。すなわち、スライド溝１１６は、表表紙１０５ａ及び裏表紙１０５ｂのそれぞれにおいて、窪んだ溝として形成されている。スライド溝１１６の外側側面はストッパ１１４の内側壁１１４ａ，１１４ｂによって構成されている。
【００４７】
さらに、表表紙１０５ａに形成されたスライド溝１１６の底面１１６ａは、表表紙１０５ａの内側表面１２５ａより内側に位置し、裏表紙１０５ｂに形成されたスライド溝１１６の底面１１６ｂは、裏表紙１０５ｂの内側表面１２５ｂより内側に位置している。したがって、表紙部１０５の先端部１０７において、表表紙１０５ａと裏表紙１０５ｂは互いにより近づくように構成されている。
【００４８】
切り欠き１１５の長さ方向端部１１７ａ，１１７ｂは、締め具１０３を表紙部１０５の先端部１０７にスライドさせて取り付けたときに、スライド溝１１６の底面１１６ａ，１１６ｂに接するように、形成されている。ストッパ１１４は、締め具１０３を取り付けたときに、締め具１０３の内側の空間１１３に内包され、締め具１０３の内壁１０３ａと接することになる。第２の実施形態においては、締め具１０３に対する切り欠き１１５の相対的な開口幅寸法を、第１の実施形態に係る切り欠き１５の開口幅寸法よりも狭く構成している。また、切り欠き１１５の長さ方向端部１１７ａ，１１７ｂにおける切断面１１７ｃは、図８（ｂ）に示す中心線Ｃと平行に延びる仮想直線（不図示）に沿って形成されている。
【００４９】
なお、本実施形態においては、図８（ｂ）に示すように、表表紙１０５ａと裏表紙１０５ｂの先端部１０７における内側表面１２３は、互いに接触した状態で保持されているが、これに限定されない。表表紙１０５ａと裏表紙１０５ｂの間に隙間がある状態で保持されていてもよい。本実施形態では、前述のように、スライド溝１１６の底面１１６ａ，１１６ｂが、表表紙１０５ａ及び裏表紙１０５ｂの各内側表面１２５ａ，１２５ｂよりも内側に位置しているため、表紙部１０５の先端部１０７においては、表紙部１０５の基端部１２７よりも表表紙１０５ａと裏表紙１０５ｂの間の距離は近い。したがって、図８（ｂ）に示すように、表表紙１０５ａと裏表紙１０５ｂの先端部１０７における内側表面１２３は、表表紙１０５ａ及び裏表紙１０５ｂの各内側表面１２５ａ，１２５ｂよりも、さらに内側に位置している。
【００５０】
締め具１０３は、第１の実施形態と同様に、先端から突出する筆記具１１０を備えている。第２の実施形態では、締め具１０３にスライド停止部を設けていない。すなわち、切り欠き１１５が締め具１０３を長さ方向Ｙに貫通して形成されている。したがって、締め具１０３をスライドさせたときに、表紙部１０５の幅方向端部１２２は、締め具１０３を貫通し得る。
【００５１】
本実施形態においては、筆記具１１０を含めた締め具１０３の長さ寸法が、表紙部１０５の長さ寸法よりも短くなるように設定している。なお、メモ帳１００に関して、特に言及しなかった構成については、第１の実施形態に係るメモ帳１と同様である。
【００５２】
第２の実施形態に係るメモ帳１００は、第１の実施形態において前述した利点に加えて、以下の利点を有する。まず、表表紙１０５ａに名刺のサイズに対応した切り込み部１２０を備えているため、名刺や名刺大のペーパーを差し込んで、表表紙５ａに保持することができる。また、第２の実施形態に係るメモ帳１００は、スライド溝１１６を備えているため、締め具１０３をより容易にスライドさせることができる。
【００５３】
また、切り欠き１１５の長さ方向端部１１７ａ，１１７ｂにおける切断面１１７ｃは、図８（ｂ）に示す中心線Ｃと平行に延びる仮想直線（不図示）に沿って形成されている。したがって、図８（ｂ）に示すように、平面方向からみたスライド溝１１６の底面１１６ａ，１１６ｂが中心線Ｃと平行に延びている場合であっても、長さ方向端部１１７ａ，１１７ｂとスライド溝１１６の底面１１６ａ，１１６ｂとが接する面積を大きくすることができる。よって、締め具１０３をより安定的した状態で表紙部１０５の先端部１０７に取り付けることができる。
【００５４】
加えて、筆記具１１０を含めた締め具１０３の長さ寸法を、表紙部１０５の長さ寸法よりも短くなるように設定しているため、筆記具１１０の先端１１０ａ及び締め具１０３の基端１０３ｂが表紙部１０５から外側にはみ出さないように、締め具１０３を表紙部１０５に取り付けることができる。したがって、メモ帳１００を閉状態に保持している間、筆記具１１０の先端１１０ａ及び基端１０３ｂが他のものに引っかかったり、接触したりするリスクを低減させることができる。
【００５５】
［他の実施形態］
以上、本発明の実施形態について述べたが、本発明は既述の実施形態に限定されるものではなく、本発明の技術的思想に基づいて各種の変形及び変更が可能である。例えば、第１の実施形態及び第２の実施形態において、被筆記部６，１０６は、複数枚のメモ用紙の束であるがこれに限定されない。一例として、被筆記部６，１０６は、メモを電子的に記録する電子ペーパー等の記録部材であってもよい。また、他の例として、被筆記部６，１０６は、紙片が着脱可能な糊付き付箋の束であってもよい。
【００５６】
第１の実施形態及び第２の実施形態に係るメモ帳１，１００は、様々なサイズを採り得る。例えば、手のひらサイズの小型の手帳であってもよいし、Ａ４サイズ等のノートであってもよい。
【００５７】
第１の実施形態及び第２の実施形態において、締め具３，１０３は長尺状に形成されているが、これに限定されない。例えば、締め具本体部９の幅方向Ｘのサイズが締め具本体部９の長さ方向Ｙのサイズと同じ又はそれより小さくなるように構成してもよい。また、第１の実施形態及び第２の実施形態において、締め具３，１０３は、円筒形状に形成されているが、これに限定されず、例えば、楕円筒形状であってもよいし、三角柱形状であってもよいし、直方体形状であってもよいし、多角柱形状であってもよいし、球形状等であってもよい。
【００５８】
第１の実施形態及び第２の実施形態に係るメモ帳本体部２，１０２は、矩形であるがこれに限定されない。例えば、メモ帳本体部２，１０２の外形の輪郭が三角形であってもよいし、円形や曲線形状であってもよい。一例として、表紙部先端縁部１２，１１２の輪郭形状が曲線の場合、長さ方向Ｙのサイズの小さい締め具３，１０３を用いてもよい。この場合、締め具３，１０３のスライド移動時に、表紙部５，１０５と接する締め具３，１０３の面積が小さくなるため、曲線状の表紙部先端縁部にもスライドさせやすくなる。また、表紙部先端縁部の曲線形状に合わせて、締め具本体部９の形状を曲線状に構成してもよい。
【００５９】
締め具３，１０３に形成された切り欠き１５，１１５の形状及びサイズは、第１の実施形態及び第２の実施形態において図示した形状及びサイズに限定されない。例えば、第１の実施形態において図示した切り欠き１５，１１５の開口幅寸法よりも広い開口幅寸法の切り欠き１５，１１５を採用してもよいし、第２の実施形態に図示した切り欠き１５，１１５の開口幅寸法よりも狭い寸法の切り欠き１５，１１５を採用してもよい。また、一例として、切り欠き１５，１１５の長さ方向端部１７ａ，１１７ａ，１７ｂ，１１７ｂにおける切断面１７ｃ，１１７ｃを外側に突出する曲面に形成してもよい。
【００６０】
第１の実施形態及び第２の実施形態においては、締め具３，１０３に筆記具１０，１１０を取り付けているが、これに限定されない。筆記具１０，１１０に代えて、別の市販の筆記具等を用い、筆記具１０，１１０の取り付けられていない締め具３，１０３を用いてもよい。
【００６１】
第１の実施形態及び第２の実施形態においては、インクによって筆記する筆記具１０，１１０を挙げているがこれに限定されない。例えば、被筆記部６，１０６がメモを電子的に記録する電子ペーパー等の記録部材である場合、筆記具１０，１１０は、被筆記部６，１０６に圧力を印可するものであってもよい。その他、顔料を固めた鉛筆芯等、被筆記部６，１０６に筆記可能なものであればどのような筆記具を用いてもよい。
【００６２】
第１の実施形態及び第２の実施形態においては、ストッパ１４，１１４は、表表紙５ａ，１０５ａの先端縁部１２，１１２と、裏表紙５ｂ，１０５ｂの先端縁部１２，１１２に沿って、長さ方向Ｙに連続した直線状に形成されているが、これに限定されない。例えば、ストッパ１４，１１４を、表紙部先端縁部１２，１１２の長さ方向Ｙに沿って不連続の点線状に配置してもよいし、表紙部先端縁部１２，１１２の長さ方向Ｙにおける中央部分のみに配置してもよいし、長さ方向Ｙにおける両端部又は片端部にのみに配置してもよい。
【００６３】
また、第１の実施形態において、例えば、ストッパ１４は、表紙部５の先端縁部１２に沿って、長尺状部材を表紙部５の外側表面１６ａ，１６ｂ上に接着することによって形成してもよいし、表紙部５と一体的に形成してもよい。第２の実施形態におけるストッパ１１４も同様である。
【００６４】
第１の実施形態及び第２の実施形態においては、締め具３，１０３の先端にテーパー１８が形成されているがこれに限定されない。例えば、第１の実施形態に係るテーパー１８を設けずに、締め具本体部９の外側先端縁１９と内側先端縁２０（切り欠き１５の先端）が同じ高さにあるように構成してもよい。また、テーパー１８を設けた場合、本体部の外側先端縁１９よりも、内側先端縁２０（切り欠き１５の先端）の方が高くなるように、傾斜させてもよい。
【００６５】
第１の実施形態及び第２の実施形態においては、筆記具１０，１１０が、締め具３，１０３の先端から突出して設けられているがこれに限定されない。例えば、筆記具１０，１１０を締め具３，１０３の基端側から突出させて設けてもよい。
【００６６】
また、第１の実施形態及び第２の実施形態においては、締め具３，１０３の切り欠き１５，１１５が形成された側の反対側に、筆記具１０，１１０が取り付けられているがこれに限定されない。例えば、切り欠き１５，１１５が形成された側の近傍に筆記具１０，１１０を取り付けてもよい。
【００６７】
また、筆記具１０，１１０を締め具３，１０３に対して着脱可能に設けてもよい。例えば、第１の実施形態及び第２の実施形態において、締め具３，１０３の内壁に、筆記具１０，１１０を取り付けるための筆記具把持部を設けてもよい。筆記具把持部としては、例えば、締め具３，１０３の内壁から突出すると共に、筆記具１０，１１０を挿入するための貫通孔が形成された複数の突出部が挙げられる。この際、筆記具１０，１１０の抜け落ちを防止するために、突出部に若干の伸縮性を持たせてもよいし、別途、筆記具固定部を設けてもよい。筆記具固定部として、筆記具１０，１１０の周面に小突起を設け、筆記具１０，１１０を筆記具把持部の貫通孔に挿入した後に、小突起が筆記具把持部に係止して、筆記具１０，１１０の抜け落ちを防止するように構成してもよい。
【００６８】
第１の実施形態及び第２の実施形態においては、表紙部５，１０５の先端縁部１２，１１２が、被筆記部６，１０６から幅方向Ｘに突出しているがこれに限定されない。表紙部５，１０５の先端縁部１２，１１２が被筆記部６，１０６の先端縁部６ａ，１０６ａと揃った位置にあってもよいし、被筆記部６，１０６の先端縁部６ａ，１０６ａが表紙部５，１０５の先端縁部１２，１１２より突出していてもよい。但し、この場合には、表表紙５ａ，１０５ａ及び裏表紙５ｂ，１０５ｂを共に挟み込んで締め具３，１０３をスライドさせるに足る切り欠き１５，１１５の開口幅寸法と、締め具３，１０３の内側の空間１３，１１３を確保する必要がある。
【００６９】
第１の実施形態及び第２の実施形態においては、締め具３，１０３は中空状に形成されているがこれに限定されない。例えば、中実の締め具３，１０３に、切り欠き１５，１１５を形成し、切り欠き１５，１１５により構成された凹部によって、表紙部５，１０５の先端縁部１２，１１２をスライドさせる空間を確保してもよい。締め具３，１０３は、どのような素材で形成してもよい。例えば、樹脂製であってもよいし、金属製であってもよい。また、表紙部５，１０５も、どのような素材で形成してもよい。例えば、紙製であっても樹脂製であってもよく、可撓性を有する金属製であってもよい。ストッパ１４，１１４も同様に、どのような素材で形成してもよく、表紙部５，１０５と同じ素材によって形成してもよいし、異なる素材によって形成してもよい。
【００７０】
第２の実施形態において、切り込み部１２０を表表紙１０５ａに形成しているが、これに限定されず、裏表紙１０５ｂに形成してもよいし、被筆記部１０６を構成する複数のメモ用紙のそれぞれに形成してもよい。また、第２の実施形態では、切り込み部１２０を名刺サイズに対応させて設けているが、これに限定されず、どのようなサイズに対応させて設けてもよい。
【００７１】
第１の実施形態及び第２の実施形態に係るメモ帳本体部２，１０２に紐を取り付けて、人の首や壁等に設けたフック等からメモ帳本体部２，１０２を吊り下げられるように構成してもよい。
【００７２】
前述のように、締め具３，１０３は、図１に示すように、紐等の連結部材１１によって、メモ帳本体部２，１０２と連結していてもよい。このように、締め具３，１０３とメモ帳本体部２，１０２が連結されていると、締め具３，１０３の紛失を防止したり、締め具３，１０３の携帯性を高めたりすることができる。また、締め具３，１０３に備えられた筆記具１０，１１０をすぐに使用することができるため、メモをとる際の書き込みまでに要する時間を短縮することができる。また、例えば、図１に示すように、締め具３の基端と、表紙部５の基端（背表紙５ｃ側）を紐等の連結部材１１によって連結し、連結部材１１を栞（しおり）の代わりとして用いてもよい。すなわち、図１に示すように、連結部材１１が被筆記部６を構成する所望のページの間に挿入された状態で、図２に示すように、締め具３を表紙部５の先端縁部１２に取り付けてもよい。この場合、締め具３を表紙部５から取り外すと、連結部材１１が栞代りとなって、即座に、連結部材１１を挟んでおいた所望のページを開くことができる。したがって、すばやくメモをとることができるという利点がある。また、連結部材１１は、通常の栞と異なり、締め具３とメモ帳本体部２に連結しているため、被筆記部６の間から抜け落ちることもない。連結部材１１には、例えば、伸縮性のあるゴム紐を用いてもよいし、その他の紐状の部材を用いてもよいし、他の部材又は素材を用いてもよい。
【符号の説明】
【００７３】
１，１００  メモ帳
２，１０２  メモ帳本体部
３，１０３  締め具
５，１０５  表紙部
６，１０６  被筆記部
９ａ  締め具の内壁
１０，１１０  筆記具
１２  表紙部の先端縁部
１３  空間
１４，１１４  ストッパ
１５，１１５  切り欠き
１８  テーパー
１９  テーパーの最先端
２１  スライド停止部
１１６  スライド溝
【図１】
2015093485.tif 000003
【図２】
2015093485.tif 000004
【図３】
2015093485.tif 000005
【図４】
2015093485.tif 000006
【図５】
2015093485.tif 000007
【図６】
2015093485.tif 000008
【図７】
2015093485.tif 000009
【図８】
2015093485.tif 000010
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
被筆記部と、
前記被筆記部の表裏に、開閉可能に設けられた表紙部と、
前記表紙部の開閉可能な先端縁部に形成されたストッパと、
前記表紙部の前記先端縁部を挟む切り欠きが設けられた締め具とを備え、
前記締め具は、切り欠きを介して、前記ストッパを内包しながら、前記表紙部の前記先端縁部にスライドして取り付けられ、
前記締め具は、筆記具を備え、
前記締め具は長尺状に形成されて、前記切り欠きは、前記締め具の長さ方向に延び、前記切り欠きが形成された側の反対側に、前記筆記具が取り付けられている、メモ帳。
【請求項２】
前記締め具の先端に、前記締め具の長さ寸法が前記切り欠きに向かうにしたがって漸次短くなるテーパーが形成されていることを特徴とする請求項１に記載のメモ帳。
【請求項３】
前記筆記具は前記テーパーの最先端から突出して設けられていることを特徴とする請求項２に記載のメモ帳。
【請求項４】
前記先端縁部が、前記被筆記部から幅方向に突出していることを特徴とする請求項１から請求項３のいずれか一項に記載のメモ帳。
【請求項５】
前記締め具の基端にスライド停止部が設けられていることを特徴とする請求項１から請求項４のいずれか一項に記載のメモ帳。
【請求項６】
前記締め具は中空状に形成されて、前記筆記具は前記切り欠きに対向する内壁に取り付けられていることを特徴とする請求項１から請求項５のいずれか一項に記載のメモ帳。
【請求項７】
前記ストッパは、前記先端縁部に沿って連続した直線状に形成されていることを特徴とする請求項１から請求項６のいずれか一項に記載のメモ帳。
【請求項８】
前記切り欠きをスライドさせるスライド溝が、前記ストッパに沿って前記表紙部に形成されていることを特徴とする請求項１から請求項７のいずれか一項に記載のメモ帳。